(57)【特許請求の範囲】
【請求項１】
透光性を有する基板とバックシートとを有する太陽電池モジュールであって、
前記基板と前記バックシートとの間に配列された複数の太陽電池セルと、
前記複数の太陽電池セルの各々に接続されたタブ配線同士を共通に接続する渡り配線と、
前記基板側から前記渡り配線を覆うように配置された隠しシートと、
前記基板と前記バックシートとの間に充填された充填部材とを備え、
前記隠しシートは、前記充填部材に接する第１のシート層と、前記第１のシート層に積層された第２のシート層とを有し、
前記第１のシート層は、透明材料又は半透明材料からなり、
前記第２のシート層は、前記バックシート又は前記充填部材と同系色であり、
前記第１のシート層は、前記充填部材に対して接着性を有する
太陽電池モジュール。
【請求項２】
前記バックシート又は前記充填部材は黒色であり、
前記第２のシート層は、黒色である
請求項１に記載の太陽電池モジュール。
【請求項３】
前記隠しシートは、さらに、前記第１のシート層と前記第２のシート層とを接着させる第１接着層を有し、
前記第１接着層は、黒色である
請求項２に記載の太陽電池モジュール。
【請求項４】
前記隠しシートは、さらに、前記第２のシート層に積層された第３のシート層と、前記第２のシート層と前記第３のシート層とを接着させる第２接着層とを有する
請求項３に記載の太陽電池モジュール。
【請求項５】
前記第３のシート層は、前記第１のシート層と同じ材料からなる
請求項４に記載の太陽電池モジュール。
【請求項６】
さらに、前記隠しシートと前記基板との間に充填された基板側充填部材を備え、
前記第３のシート層は、前記基板側充填部材に接しており、かつ、前記基板側充填部材に対して接着性を有する
請求項４又は５に記載の太陽電池モジュール。
【請求項７】
透光性を有する基板とバックシートとを有する太陽電池モジュールであって、
前記基板と前記バックシートとの間に配列された複数の太陽電池セルと、
前記複数の太陽電池セルの各々に接続されたタブ配線同士を共通に接続する渡り配線と、
前記基板側から前記渡り配線を覆うように配置された隠しシートと、
前記基板と前記バックシートとの間に充填された充填部材とを備え、
前記隠しシートは、前記充填部材に接する第１のシート層と、前記第１のシート層に積層された第２のシート層とを有し、
前記第１のシート層及び前記第２のシート層は、前記バックシート又は前記充填部材の材料と同系色の材料、透明材料又は半透明材料からなり、
前記第１のシート層は、前記充填部材に対して接着性を有し、
前記第１のシート層は、ポリエチレンからなり、
前記第２のシート層は、ポリエチレンテレフタレートからなり、
前記充填部材は、エチレンビニルアセテートからなる
太陽電池モジュール。
【請求項８】
透光性を有する基板とバックシートとを有する太陽電池モジュールの製造方法であって、
前記基板と前記バックシートとの間に、複数の太陽電池セルと、前記複数の太陽電池セルの各々に接続されたタブ配線同士を共通に接続する渡り配線と、前記基板側から前記渡り配線を覆う隠しシートと、充填部材とを配置する工程を含み、
前記隠しシートは、前記充填部材に接する第１のシート層と、前記第１のシート層に積層された第２のシート層とを有し、
前記第１のシート層は、透明材料又は半透明材料からなり、
前記第２のシート層は、前記バックシート又は前記充填部材と同系色であり、
前記第１のシート層は、前記充填部材に対して接着性を有する
太陽電池モジュールの製造方法。
【発明の詳細な説明】
【技術分野】
【０００１】
本発明は、太陽電池モジュール及び太陽電池モジュールの製造方法に関する。
【背景技術】
【０００２】
従来、光エネルギーを電気エネルギーに変換する光電変換装置として、太陽電池モジュールの開発が進められている。太陽電池モジュールは、無尽蔵の太陽光を直接電気に変換することができることから、また、化石燃料による発電と比べて環境負荷が小さくクリーンであることから、新しいエネルギー源として期待されている。【０００３】
この種の太陽電池モジュールは、例えば、透光性を有する基板とバックシートとの間に複数枚の太陽電池セルが充填材で封止された構造となっている。例えば、太陽電池モジュールは、受光面側に配置されるガラス基板と、バックシートと、ガラス基板とバックシートとの間にマトリクス状に配列された複数の太陽電池セルと、バックシートとガラス基板との間に充填された充填部材とを備える（例えば特許文献１）。【０００４】
行方向及び列方向の一方に配列された複数の太陽電池セルは、隣接する太陽電池セル同士をタブ配線によって連結することでセルストリング化される。また、太陽電池モジュールの両端部には渡り配線が設けられており、複数本のセルストリングにおける先頭及び最後尾の各々の太陽電池セル同士がタブ配線を介して渡り配線に接続されている。
【先行技術文献】
【特許文献】
【０００５】
【特許文献１】特開２００７−１５００６９号公報
【発明の概要】
【発明が解決しようとする課題】
【０００６】
しかしながら、渡り配線は、外観上、金属光沢を有しているので、太陽電池モジュールを受光面側から見た場合に、渡り配線が目立ってしまう。このため、太陽電池モジュールの外観全体の意匠性が悪くなるという問題がある。【０００７】
そこで、渡り配線を隠すために、隠しシートによって渡り配線を受光面側から覆うことも考えられるが、隠しシートを配置することによってかえって意匠性が悪くなる場合もあり、また、作業性が悪くなる場合もある。【０００８】
本発明は、このような課題を解決するためになされたものであり、意匠性及び作業性を悪化させることなく渡り配線を隠すことができる太陽電池モジュールを提供することを目的とする。
【課題を解決するための手段】
【０００９】
上記課題を解決するために、本発明に係る太陽電池モジュールの一態様は、透光性を有する基板とバックシートとを有する太陽電池モジュールであって、前記基板と前記バックシートとの間に配列された複数の太陽電池セルと、前記複数の太陽電池セルの各々に接続されたタブ配線同士を共通に接続する渡り配線と、前記基板側から前記渡り配線を覆うように配置された隠しシートと、前記基板と前記バックシートとの間に充填された充填部材とを備え、前記隠しシートは、前記充填部材に接する第１のシート層と、前記第１のシート層に積層された第２のシート層とを有し、前記第１のシート層及び前記第２のシート層は、前記バックシート又は前記充填部材の材料と同系色の材料、透明材料又は半透明材料からなり、前記第１のシート層は、前記充填部材に対して接着性を有することを特徴とする。【００１０】
また、本発明に係る太陽電池モジュールの製造方法の一態様は、透光性を有する基板とバックシートとを有する太陽電池モジュールの製造方法であって、前記基板と前記バックシートとの間に、複数の太陽電池セルと、前記複数の太陽電池セルの各々に接続されたタブ配線同士を共通に接続する渡り配線と、前記基板側から前記渡り配線を覆う隠しシートと、充填部材とを配置する工程を含み、前記隠しシートは、前記充填部材に接する第１のシート層と、前記第１のシート層に積層された第２のシート層とを有し、前記第１のシート層及び前記第２のシート層は、前記バックシート又は前記充填部材の材料と同系色の材料、透明材料又は半透明材料からなり、前記第１のシート層は、前記充填部材に対して接着性を有することを特徴とする。
【発明の効果】
【００１１】
意匠性及び作業性を悪化させることなく渡り配線を隠すことができる。
【図面の簡単な説明】
【００１２】
【図１】図１は、実施の形態に係る太陽電池モジュールの平面図である。
【図２】図２は、実施の形態に係る太陽電池モジュールの一部拡大断面図（図１のＡ−Ａ線における断面図）である。
【図３】図３は、実施の形態に係る太陽電池モジュールにおけるラミネート処理工程を説明するための図である。
【図４Ａ】図４Ａは、比較例に係る太陽電池モジュールの構成を示す断面図（ラミネート処理前の断面図）である。
【図４Ｂ】図４Ｂは、比較例に係る太陽電池モジュールの構成を示す断面図（ラミネート処理後の断面図）である。
【発明を実施するための形態】
【００１３】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１４】
なお、各図は、模式図であり、必ずしも厳密に図示されたものではない。また、各図において、実質的に同一の構成に対しては同一の符号を付しており、重複する説明は省略又は簡略化する。
【００１５】
（実施の形態）
まず、実施の形態に係る太陽電池モジュール１の構成について、図１及び図２を用いて説明する。図１は、実施の形態に係る太陽電池モジュールの平面図である。図２は、図１のＡ−Ａ線における同太陽電池モジュールの一部拡大断面図である。
【００１６】
図１及び図２に示すように、太陽電池モジュール１は、基板１０と、バックシート２０と、複数の太陽電池セル３０と、渡り配線４０と、隠しシート５０と、充填部材６０とを備える。本実施の形態における太陽電池モジュール１は、さらに、フレーム７０を備える。太陽電池モジュール１は、対向する基板１０とバックシート２０との間に太陽電池セル３０が充填部材６０で封止された構造である。
【００１７】
図１に示すように、太陽電池モジュール１の平面視形状は、例えば矩形状である。一例として、太陽電池モジュール１は、横の長さが約１６００ｍｍで、縦の長さが約８００ｍｍの矩形状である。なお、太陽電池モジュール１の形状は、矩形状に限らない。
【００１８】
以下、太陽電池モジュール１の各構成部材について詳細に説明する。
【００１９】
［基板］
基板１０は、透光性を有する透光性基板であり、例えば、透明ガラス材料からなるガラス基板（透明ガラス基板）である。なお、基板１０は、ガラス基板に限るものではなく、透明樹脂材料等の透光性樹脂材料からなる樹脂基板等であってもよい。
【００２０】
基板１０は、太陽電池モジュール１の表面を保護する表面保護部材であり、太陽電池モジュール１の内部を、風雨や外部衝撃、火災等の外部環境から保護する。本実施の形態において、基板１０は、太陽電池セル３０の受光面側に配置されており、基板１０側から太陽光が入射する。つまり、基板１０の表面（露出面）が受光面である。なお、低反射基板とするために、基板１０の表面には反射防止膜が形成されていてもよい。
【００２１】
［バックシート］
バックシート２０は、太陽電池モジュール１の裏面を保護する裏面保護部材であり、太陽電池モジュール１の内部を外部環境から保護する。バックシート２０は、例えば、ＰＥＴ（ポリエチレンテレフタレート）又はＰＥＮ（ポリエチレンナフタレート）からなる樹脂シートである。
【００２２】
本実施の形態において、バックシート２０の色は、黒色であるが、黒色以外であってもよい。また、バックシート２０は、樹脂製に限るものではなく、例えばガラス製であってもよい。
【００２３】
［太陽電池セル（太陽電池素子）］
太陽電池セル３０は、太陽光等の光を電力に変換する光電変換素子（光起電力素子）である。図１に示すように、太陽電池セル３０は、同一平面において行列状（マトリクス状）に複数枚配列されてセルアレイを構成している。図２に示すように、複数の太陽電池セル３０（セルアレイ）は、基板１０とバックシート２０との間に配列されている。
【００２４】
行方向及び列方向の一方に配列された複数の太陽電池セル３０は、隣接する太陽電池セル３０同士が導電性のタブ配線（インターコネクタ）３１によって電気的に接続されることでセルストリング（太陽電池セル群）を構成している。セルストリングにおける複数の太陽電池セル３０は、直列接続となっている。なお、タブ配線３１は、例えば、銅箔や銀箔等の金属箔の表面全体を半田で被覆したものを、所定の長さに短冊状に切断することによって作製することができる。
【００２５】
本実施の形態では、行方向に配列された複数の太陽電池セル３０がタブ配線３１で接続されることによってセルストリングが構成されている。この場合、隣り合う太陽電池セル３０の各々の電極同士を半田等を介して３本のタブ配線３１によって順次接続していくことで、複数の太陽電池セル３０が一列に連結されたセルストリングを作製することができる。
【００２６】
図１では、各太陽電池セル３０に３本のタブ配線３１が接続されており、１２枚の太陽電池セル３０が行方向に沿って接続されることで１つのセルストリングが構成されている。また、図１では、６つのセルストリングが構成されている。
【００２７】
［渡り配線（渡りタブ）］
渡り配線４０は、複数の太陽電池セル３０の各々に接続されたタブ配線３１同士を共通に接続する横配線である。渡り配線４０は、例えば、銅箔や銀箔等の金属箔の表面全体を半田で被覆したものを、所定の長さに短冊状に切断することによって作製することができる。
【００２８】
図１に示すように、渡り配線４０は、太陽電池モジュール１の長手方向の両端部に設けられている。本実施の形態では、太陽電池モジュール１の長手方向の一端部（図１の左側端部）には、４本の渡り配線４０が配置されている。一方、太陽電池モジュール１の長手方向の一端部とは反対側の端部である他端部（図１の右側端部）には、２本の渡り配線４０が配置されている。
【００２９】
そして、各セルストリングにおける先頭の太陽電池セル３０は、太陽電池モジュール１の長手方向の一端部の近傍において、タブ配線３１を介して渡り配線４０と電気的に接続されている。また、各セルストリングにおける最後尾の太陽電池セル３０は、太陽電池モジュール１の長手方向の他端部の近傍において、タブ配線３１を介して渡り配線４０と電気的に接続されている。
【００３０】
これにより、複数（図１では６つ）のセルストリングが直列接続又は並列接続されてセルアレイが構成される。つまり、太陽電池モジュール１における全ての太陽電池セル３０同士が直列接続又は並列接続される。
【００３１】
［隠しシート］
隠しシート５０は、渡り配線４０を隠すために、基板１０側から渡り配線４０を覆うように配置される。したがって、図１に示すように、平面視において、隠しシート５０は、渡り配線４０と重なっており、かつ、渡り配線４０の大きさよりも大きい。
【００３２】
本実施の形態において、渡り配線４０は、太陽電池モジュール１の長手方向の両端部、つまり、長手方向の一端部と他端部との２箇所に設けられているので、隠しシート５０も太陽電池モジュール１の長手方向の両端部に設けられている。
【００３３】
本実施の形態において、太陽電池モジュール１の長手方向の一端部（図１の左側端部）に設けられた隠しシート５０は、当該一端部に配置された全て（図１では４本）の渡り配線４０を一括して覆うように配置されている。一方、太陽電池モジュール１の長手方向の他端部（図１の右側端部）に設けられた隠しシート５０は、当該他端部に配置された全て（図１では２本）の渡り配線４０を一括して覆うように配置されている。
【００３４】
図２に示すように、隠しシート５０は、複数層の積層構造からなり、充填部材６０に接する第１のシート層５１ａと、第１のシート層５１ａに積層された第２のシート層５１ｂとを有する。本実施の形態における隠しシート５０は、さらに、第２のシート層５１ｂに積層された第３のシート層５１ｃを有する。このように、隠しシート５０は、３つのシート層の積層構造である。一例として、第１のシート層５１ａ及び第３のシート層５１ｃの層厚は、３０μｍであり、第２のシート層５１ｂの層厚は、５０μｍである。
【００３５】
第１のシート層５１ａ及び第２のシート層５１ｂは、バックシート２０又は充填部材６０（バックシート側充填部材６１）の材料と同系色の材料、透明材料又は半透明材料からなる。
【００３６】
本実施の形態において、第１のシート層５１ａとしては、透明材料を用いている。また、第２のシート層５１ｂとしては、バックシート２０又は充填部材６０（バックシート側充填部材６１）と同系色の材料を用いており、本実施の形態では、バックシート２０の色に合わせて黒色の材料にしている。なお、第３のシート層５１ｃは、第１のシート層５１ａと同じ材料（透明材料）にしている。
【００３７】
このように、本実施の形態では、隠しシート５０の背景色となるバックシート２０又は充填部材６０の色が黒色であることから、隠しシート５０を構成するシート層には、背景色が黒色である場合に目立ちやすい白色層を用いていない。
【００３８】
本実施の形態において、第１のシート層５１ａは、ポリエチレン（ＰＥ）からなる樹脂シート（ＰＥシート）であり、第２のシート層５１ｂは、ポリエチレンテレフタレート（ＰＥＴ）からなる樹脂シート（ＰＥＴシート）である。また、第３のシート層５１ｃは、第１のシート層５１ａと同じ材料からなり、本実施の形態では、ポリエチレン（ＰＥ）からなる樹脂シート（ＰＥシート）である。
【００３９】
第１のシート層５１ａは、充填部材６０に対して接着性を有する。これにより、別途接着剤を間に挟むことなく、第１のシート層５１ａと充填部材６０とを接着させることができる。
【００４０】
具体的には、第１のシート層５１ａは、渡り配線４０と隠しシート５０との間に充填された充填部材６０に対して接着性を有している。本実施の形態において、第１のシート層５１ａは、バックシート側充填部材６１に接しており、かつ、当該バックシート側充填部材６１に対して接着性を有する。これにより、第１のシート層５１ａとバックシート側充填部材６１とを接着剤を用いることなく接着させることができる。
【００４１】
なお、本願発明者らの実験により、ポリエチレン（ＰＥ）とエチレンビニルアセテート（ＥＶＡ：ｅｔｈｙｌｅｎｅ  ｖｉｎｙｌａｃｅｔａｔｅ）とは別途接着剤を用いることなく接着することが確認できている。したがって、ＰＥからなる第１のシート層５１ａとＥＶＡからなるバックシート側充填部材６１とは接着剤を用いなくても接着する。
【００４２】
また、第３のシート層５１ｃも、充填部材６０に対して接着性を有する。これにより、別途接着剤を間に挟むことなく、第３のシート層５１ｃと充填部材６０とを接着させることができる。
【００４３】
具体的には、第３のシート層５１ｃは、基板１０と隠しシート５０との間に充填された充填部材６０に対して接着性を有している。本実施の形態において、第３のシート層５１ｃは、基板側充填部材６２に接しており、かつ、基板側充填部材６２に対して接着性を有する。これにより、第３のシート層５１ｃと基板側充填部材６２とを接着剤を用いることなく接着させることができる。
【００４４】
なお、上述のとおり、ポリエチレン（ＰＥ）とエチレンビニルアセテート（ＥＶＡ）とは接着するので、ＰＥからなる第３のシート層５１ｃとＥＶＡからなる基板側充填部材６２とは接着剤を用いなくても接着する。また、本実施の形態において、第１のシート層５１ａと第３のシート層５１ｃとは、ラミネート処理後に充填部材６０と接着及び同化する。
【００４５】
また、本実施の形態では、第２のシート層５１ｂの材料はＰＥＴである。これにより、良好な長期信頼性及び外観上で必要な強度（はり）を有する隠しシート５０を得ることができる。さらに、第２のシート層５１ｂの材料としてＰＥＴを用いることによって、製造工程での作業がしやすくなる。具体的には、製造工程において、基板１０（ガラス）、基板側充填部材６２及び渡り配線４０をこの順に積層して、基板側充填部材６２と渡り配線４０との間に隠しシート５０を挿入する。例えば、渡り配線４０をピンセットで持ち上げて、渡り配線４０と基板側充填部材６２との間の隙間に隠しシート５０を差し込む。このとき、第２のシート層５１ｂの材料として、強度が比較的に高いＰＥＴを用いることによって、隠しシート５０の挿入作業がしやすくなる。
【００４６】
また、隠しシート５０は、さらに、第１のシート層５１ａと第２のシート層５１ｂとを接着させる第１接着層５２ａと、第２のシート層５１ｂと第３のシート層５１ｃとを接着させる第２接着層５２ｂとを有する。
【００４７】
第１のシート層５１ａと第２のシート層５１ｂとの間に第１接着層５２ａを挿入することによって、第１のシート層５１ａと第２のシート層５１ｂとを容易に接着させることができる。また、第２のシート層５１ｂと第３のシート層５１ｃとの間に第２接着層５２ｂを挿入することによって、第２のシート層５１ｂと第３のシート層５１ｃとを容易に接着させることができる。
【００４８】
なお、本実施の形態において、第１接着層５２ａ及び第２接着層５２ｂの色は、バックシート２０の色に合わせて黒色にしている。
【００４９】
このように、本実施の形態では、隠しシート５０の背景色となるバックシート２０又は充填部材６０の色が黒色であることから、隠しシート５０を構成する樹脂層にも、背景色が黒色である場合に目立ちやすい白色層を用いていない。
【００５０】
このように構成される隠しシート５０は、次のようにして作製することができる。例えば、板状の第１のシート層５１ａ、板状の第２のシート層５１ｂ及び板状の第３のシート層５１ｃの３つの板状のシート層を、第１接着層５２ａ及び第２接着層５２ｂの２つの接着層で接着して貼り合わせたものを、所定の長さに短冊状に切断する。本実施の形態における隠しシート５０は、長手方向の両端部の各々に配置された複数の渡り配線４０を一括して覆っているので、太陽電池モジュール１の短辺の長さ程度の長さとなっている。
【００５１】
［充填部材］
充填部材（充填材）６０は、基板１０とバックシート２０との間に配置される。本実施の形態において、充填部材６０は、基板１０とバックシート２０との間を埋めるように充填されている。したがって、太陽電池セル３０は充填部材６０によって封止されている。
【００５２】
充填部材６０は、太陽電池セル３０を挟んだ２つの充填部材にラミネート処理（ラミネート加工）を施すことによって形成される。このときのラミネート処理を、図３を用いて説明する。図３は、実施の形態に係る太陽電池モジュールにおけるラミネート処理工程を説明するための図である。
【００５３】
図３に示すように、複数の太陽電池セル３０からなる複数のセルストリングをバックシート側充填部材６１と基板側充填部材６２とで挟み込み、さらに、その下と上にバックシート２０及び基板１０を配置して、所定の積層体を準備する。
【００５４】
その後、この積層体を例えば１００℃以上の温度で真空中で熱圧着（加熱及び圧着）する。これにより、バックシート側充填部材６１及び基板側充填部材６２は加熱されて溶融し、充填部材６０となる。
【００５５】
このようなラミネート処理を施すことによって、基板１０とバックシート２０との間の空間が充填部材６０で充填され、太陽電池セル３０、渡り配線４０及び隠しシート５０が充填部材６０で封止される。
【００５６】
バックシート側充填部材（第１の充填部材）６１は、複数の太陽電池セル３０及び渡り配線４０とバックシート２０との間に配置されるシートであり、ラミネート処理によって主に渡り配線４０及び太陽電池セル３０とバックシート２０との間に充填される。
【００５７】
基板側充填部材（第２の充填部材）６２は、複数の太陽電池セル３０及び隠しシート５０と基板１０との間に配置されるシートであり、ラミネート処理によって主に太陽電池セル３０及び隠しシート５０と基板１０との間に充填される。
【００５８】
バックシート側充填部材６１及び基板側充填部材６２は、例えば樹脂材料からなる樹脂シートであり、本実施の形態では、エチレンビニルアセテート（ＥＶＡ）からなるＥＶＡシートである。また、バックシート側充填部材６１及び基板側充填部材６２の色は、例えば黒色である。したがって、充填部材６０も黒色となる。
【００５９】
［フレーム］
フレーム７０は、太陽電池モジュール１の周縁端部を覆う外枠である。本実施の形態におけるフレーム７０は、アルミ製のアルミフレーム（アルミ枠）である。図１に示すように、フレーム７０は、４本用いられており、それぞれ太陽電池モジュール１の４辺の各々の端部に装着されている。
【００６０】
また、図２に示すように、フレーム７０は、例えば、シリコーン樹脂からなる接着剤７１によって太陽電池モジュール１の各辺の端部に固着されている。
【００６１】
なお、図示しないが、太陽電池モジュールは、太陽電池セル３０で発電された電力を取り出すための端子ボックスが設けられている。端子ボックスは、例えばバックシート２０に固定されており、端子ボックスには、回路基板に実装された複数の回路部品が内蔵されている。
【００６２】
［効果等］
次に、本実施の形態に係る太陽電池モジュール１の効果について、比較例を示す図４Ａ及び図４Ｂを用いて、本発明に至った経緯も含めて説明する。図４Ａ及び図４Ｂは、比較例に係る太陽電池モジュールの構成を示す断面図であり、それぞれラミネート処理前（図４Ａ）及びラミネート処理後（図４Ｂ）を示している。
【００６３】
太陽電池モジュールでは、セルストリングにおける先頭及び最後尾の太陽電池セルがタブ配線を介して渡り配線に接続されているが、渡り配線は金属光沢を有しているので、太陽電池モジュールをガラス基板側から平面視した場合に、渡り配線が目立ってしまう。このため、太陽電池モジュール全体としての意匠性が悪くなる。
【００６４】
そこで、本願発明者らは、図４Ａ及び図４Ｂに示すように、渡り配線４０を隠すために、隠しシート５００によって渡り配線４０を基板１０側（受光面側）から覆うことを検討した。
【００６５】
このとき検討した隠しシート５００としては、ＰＥＴからなる第１のシート層５１０ａ（３８μｍ）及びＰＥＴからなる第２のシート層５１０ｂ（５０μｍ）の積層ＰＥＴと、ＰＥからなる第３のシート層５１０ｃとを、接着層５２０で接着した構造のものを用いた。なお、第１のシート層５１０ａ及び第２のシート層５１０ｂは白色とし、第３のシート層５１０ｃは透明とし、接着層５２０は黒色とした。
【００６６】
このように、隠しシート５００は、意匠性を向上させることを目的として導入を検討したのであるが、隠しシート５００を配置することによって、かえって意匠性が悪くなることが分かった。以下、この点について詳細に説明する。
【００６７】
隠しシート５００は、バックシート２０との色合わせ等を行うために、上記のように、第１のシート層５１０ａ、第２のシート層５１０ｂ、接着層５２０及び第３のシート層５１０ｃの材料及び色を選定した。
【００６８】
しかしながら、隠しシート５００の背景色としてバックシート２０又は充填部材６００の黒色が存在するので、図４Ｂに示すように、見る角度によっては白色の第１のシート層５１０ａ及び白色の第２のシート層５１０ｂのエッジ部が受光面から見えてしまう。このため、隠しシート５００の長手方向に沿った白ライン（筋状の白色線）が視認され、意匠性が悪化することがあった。
【００６９】
特に、隠しシート５００は積層シート層を所定の大きさに切断して作製されるが、切断状態が悪い場合は、第１のシート層５１０ａ及び白色の第２のシート層５１０ｂのエッジ部がはみ出して（露出して）しまい、白ラインが際だって視認されてしまうことがある。
【００７０】
このように、本願発明者らが検討した結果、上記構造の隠しシート５００を配置すると、かえって意匠性が悪くなる場合があることが分かった。
【００７１】
さらに、上記構造の隠しシート５００を用いると、作業性の低下とコスト高を引き起こすことも分かった。以下、この点についても詳細に説明する。
【００７２】
図４Ａに示すように、上記構成の隠しシート５００を用いる場合には、隠しシート５００と渡り配線４０との間には、隠し充填部材６３を配置する必要があった。つまり、隠しシート５００は、隠し充填部材６３を介して渡り配線４０に接着させる必要があった。
【００７３】
このため、部品点数が多くなって、作業性が低下するとともにコスト高になってしまうことが分かった。なお、隠し充填部材６３としては、例えば、バックシート側充填部材６１及び基板側充填部材６２と同じ材料（ＥＶＡシート）を用いた。
【００７４】
本発明は、このような知見に基づいてなされたものであり、本願発明者らは、鋭意検討した結果、図２に示される構成の隠しシート５０を用いることによって、意匠性及び作業性を悪化させることなく渡り配線４０を隠せることが分かった。
【００７５】
具体的には、本実施の形態における太陽電池モジュール１では、少なくとも充填部材６０に接する第１のシート層５１ａと第１のシート層５１ａに積層された第２のシート層５１ｂとを有する隠しシート５０を用いている。
【００７６】
そして、第１のシート層５１ａ及び第２のシート層５１ｂとしては、バックシート２０又は充填部材６０の材料と同系色の材料、透明材料又は半透明材料を用いている。
【００７７】
これにより、隠しシート５０の背景色となるバックシート２０又は充填部材６０の色が隠しシート５０と同系色になる又は目立たなくなるので、隠しシート５０のエッジ部が視認されなくなる。
【００７８】
特に、隠しシート５０の切断状態が悪くて隠しシート５０から第１のシート層５１ａ及び第２のシート層５１ｂのエッジ部がはみ出すような場合でも、隠しシート５０が目立ちにくい。
【００７９】
したがって、隠しシート５０によって、渡り配線４０を隠すことができるとともに、隠しシート５０の切断状態によらず隠しシート５０を目立ちにくくできるので、太陽電池モジュール１の外観全体の意匠性を向上させることができる。
【００８０】
しかも、本実施の形態では、第１のシート層５１ａが充填部材６０に対して接着性を有するので、図４Ａの比較例に示される隠し充填部材６３を第１のシート層５１ａで代用することができる。
【００８１】
特に、本実施の形態における第１のシート層５１ａは、ポリエチレン（ＰＥ）からなるので、ＥＶＡからなる隠し充填部材６３をＰＥからなる第１のシート層５１ａで簡単に代用することができる。
【００８２】
これにより、隠し充填部材６３を用いることなく隠しシート５０を充填部材６０に接着させることができる。したがって、部品点数の増加を抑えることができるので、作業性の悪化を抑制できるとともにコスト高になることを抑制できる。
【００８３】
以上、本実施の形態に係る太陽電池モジュール１によれば、意匠性及び作業性を悪化させることなく渡り配線４０を隠すことができる。
【００８４】
また、本実施の形態では、第１のシート層５１ａが透明材料又は半透明材料からなり、また、第２のシート層５１ｂがバックシート２０又は充填部材６０と同系色である。具体的には、バックシート２０又は充填部材６０が黒色であり、第２のシート層５１ｂも黒色である。
【００８５】
このように、本実施の形態では、隠しシート５０から白色層を無くしているので、バックシート２０又は充填部材６０の黒色の背景色によって、白色層を有する場合に隠しシートの白ラインが視認されてしまうことを回避することができる。
【００８６】
また、本実施の形態では、隠しシート５０がさらに第２のシート層５１ｂに積層された第３のシート層５１ｃを有し、第３のシート層５１ｃは第１のシート層５１ａと同じ材料によって構成されている。
【００８７】
これにより、隠しシート５０がさらに第３のシート層５１ｃを有する場合でも、意匠性及び作業性を悪化させることなく渡り配線４０を隠すことができる。
【００８８】
また、本実施の形態では、隠しシート５０と基板１０との間に充填された基板側充填部材６２を備えており、第３のシート層５１ｃが基板側充填部材６２に接しており、かつ、基板側充填部材６２に対して接着性を有する。
【００８９】
これにより、隠しシート５０を基板側充填部材６２にも容易に接着させることができるので、隠しシート５０を用いる場合の作業性を一層向上させることができる。
【００９０】
（変形例等）
以上、本発明に係る太陽電池モジュールについて、上記実施の形態に基づいて説明したが、本発明は、上記の実施の形態に限定されるものではない。
【００９１】
例えば、上記の実施の形態では、バックシート２０及び充填部材６０が黒色であったため、隠しシート５０には白色層を用いなかったが、バックシート２０及び充填部材６０が白色であるような場合には、隠しシート５０には黒色層を用いずに構成すればよい。
【００９２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００９３】
１    太陽電池モジュール
１０  基板
２０  バックシート
３０  太陽電池セル
３１  タブ配線
４０  渡り配線
５０、５００  隠しシート
５１ａ、５１０ａ  第１のシート層
５１ｂ、５１０ｂ  第２のシート層
５１ｃ、５１０ｃ  第３のシート層
５２ａ  第１接着層
５２ｂ  第２接着層
６０、６００  充填部材
６１  バックシート側充填部材
６２  基板側充填部材
６３  隠し充填部材
７０  フレーム
５２０  接着層
【図１】
0006587191.tif 000002
【図２】
0006587191.tif 000003
【図３】
0006587191.tif 000004
【図４Ａ】
0006587191.tif 000005
【図４Ｂ】
0006587191.tif 000006